(57)【要約】【課題】  超音波霧化装置では、ケース内に圧電体振動子及びノズルを多数装着してるため、隣り合ったノズルから発生した霧化粒子が互いに干渉して液面に落下したり、側壁に衝突して落下し、吸引口から排出される霧化粒子が少なく、霧化効率が非常に悪いという問題があった。【解決手段】  ケースの一端にケースとほぼ同じ幅の送風口を形成し、他端にケースとほぼ同じ幅の吸引口を形成し、送風口と吸引口の間に形成したケースの支持板に、送風口から吸引口の方向に僅かに傾斜したノズルをそれぞれ装着した多数の圧電体振動子を多数列装着し、霧化液体供給口から霧化液体を供給し、ノズルの先端がそれぞれ突出するように、ノズルの周囲を星型に切り欠いた突出孔を形成した遮蔽板を霧化液体の上方を覆うように装着し、又、遮蔽板の上に各列のノズルの間を遮る仕切板を装着するものである。【選択図】図１
2006231297.tif 000002
【特許請求の範囲】
【請求項１】
ケースの一端に該ケースとほぼ同じ幅の送風口を形成し、他端に前記ケースとほぼ同じ幅の吸引口を形成し、前記送風口と吸引口の間に形成した前記ケースの支持板に、前記送風口から吸引口の方向に僅かに傾斜したノズルをそれぞれ装着した多数の圧電体振動子を多数列装着し、かつ常に前記ケースの支持板の上から前記ノズルの上端より僅か下方のレベルになるように霧化液体供給口から霧化液体を供給し、前記ノズルの先端がそれぞれ突出するように、前記ノズルの周囲を星型に切り欠いた突出孔を形成した遮蔽板を前記霧化液体の上方を覆うように装着し、前記ノズル及び圧電体振動子の隣り合った列の間にそれぞれ仕切板を装着し、該仕切板は前記送風口から吸引口に向けて傾斜するように構成し、前記送風口から送風する気体は前記遮蔽板の下方から前記星型に切り欠いた突出孔を通り、仕切板の間を通って上方に送風するように構成することを特徴とする超音波霧化分溜装着。
【請求項２】
前記１つの列のノズルを装着した前記多数の圧電体振動子が前記隣り合った列の多数の圧電体振動子の間に位置するように構成することを特徴とする請求項１記載の超音波霧化分溜装置。
【請求項３】
前記仕切板は前記送風口から前記吸引口に向けて順次低くなるように構成することを特徴とする請求項１記載の超音波霧化分溜装置。
【請求項４】
前記送風口側の前記仕切板は前記他の仕切板の上部を覆うように構成することを特徴とする請求項１記載の超音波霧化分溜装置。
【発明の詳細な説明】
【技術分野】
【０００１】
本発明は、多数列に装着した圧電体振動子に円錐状ノズルを装着し、圧電体振動子を駆動して、ノズルから噴出した霧化粒子を回収して分溜する超音波霧化分溜装置に関するものである。
【背景技術】
【０００２】
この種の超音波霧化装置としては、図３に示すように、ケース１の側壁１ａの上部に送風口１ｂを形成し、側壁１ａの対向する側壁１ｃに吸引口１ｄを形成し、ケース１の底部に水平部１ｅより僅かに傾斜した複数の傾斜部１ｆを形成し、この傾斜部１ｆの下部にそれぞれ圧電体振動子２を装着し、又、傾斜部１ｆにそれぞれ圧電体振動子２より小径の孔１ｇを形成し、傾斜部１ｆの上部に、それぞれの傾斜と同方向に傾斜した円錐状のノズル３を装着し、さらに、ノズル３の上端より僅かに下側まで霧化液体４が常に一定のレベルになるように供給され、又、圧電体振動子２に発振器５から発振出力を印加したものを本出願人が提案している。
【０００３】
このように構成された従来の超音波霧化装置では、発振器４から圧電体振動子２に発振出力が供給されると、圧電体振動子２から超音波が発生し、ノズル３と傾斜部１ｆの間に形成された霧化液体注入口３ａから注入された霧化液体５はノズル３から噴出して、霧化粒子４ａが発生し、この霧化粒子４ａは送風口１ｂから供給された送風によって吸引口１ｄから吸引され、図示しない回収装置によって回収される。
【０００４】
しかしながら、このように従来の超音波霧化装置では、ケース１内に多数の圧電体振動子２及びノズル３を装着した場合、隣り合った圧電体振動子２とノズル３の間隔が狭いため、送風口１ｂ側のノズル３から噴出された霧化粒子が次のノズル３から発生した霧化粒子と衝突して、霧化粒子の径が大きくなり、吸引口１ｄから排出されないで、霧化液体５の液面に落下したり、側壁１ｃに衝突して、吸引口１ｄから排出される霧化粒子が少なくなり、霧化効率がわるいという問題があり、さらに、圧電体振動子２は印加される電流で加熱され、この加熱は霧化液体５で冷却されるが、冷却することによって加熱された霧化液体５が蒸発して、霧化液体５の表面から発生した霧化液体はノズル３から霧化された霧化粒子を上方に押し上げて、ケース１の天板１ｈに接触し、天板１ｈで液体になって落下するため、霧化効率が悪いという問題があった。
【特許文献１】特願２００４−３２０６３１
【発明の開示】
【発明が解決しようとする課題】
【０００５】
解決しようとする問題点は、提案された超音波霧化装置では、ケース内に圧電体振動子及びノズルを多数装着してるため、隣り合ったノズルから発生した霧化粒子が互いに干渉して液面に落下したり、側壁に衝突して落下し、吸引口から排出される霧化粒子が少なく、霧化効率が非常に悪いという問題があり、又、圧電体振動子は印加される電流で過熱され、過熱された霧化液体５蒸発して、霧化液ノズルから霧化された霧化粒子を上方に押し上げて、ケースの天板に接触し、天板で液体になって落下するため、霧化効率が悪いという問題があった。
【課題を解決するための手段】
【０００６】
本発明では、ケースの一端にケースとほぼ同じ幅の送風口を形成し、他端にケースとほぼ同じ幅の吸引口を形成し、送風口と吸引口の間に形成したケースの支持板に、送風口から吸引口の方向に僅かに傾斜したノズルをそれぞれ装着した多数の圧電体振動子を多数列装着し、常にケースの支持板の上からノズルの上端より僅か下方のレベルになるように霧化液体供給口から霧化液体を供給し、ノズルの先端がそれぞれ突出するように、ノズルの周囲を星型に切り欠いた突出孔を形成した遮蔽板を霧化液体の上方を覆うように装着し、仕切板は前記ノズル及び圧電体振動子の隣り合った列の間にそれぞれ装着されて前記送風口から吸引口に向けて傾斜するように構成し、前記送風口から送風する気体は前記遮蔽板の下方から前記星型に切り欠いた突出孔を通り、仕切板の間を通って上方に送風するように構成するものである。
【発明の効果】
【０００７】
本発明の超音波霧化分溜装置では、送風口をケースの幅とほぼ同じ幅に設け、ケースの支持板に多数列の圧電体振動子とノズルを装着し、送風口と吸引口の間に、霧化液体を覆う遮蔽板を装着し、遮蔽板に設けた星型の突出孔からノズルを突出させ、このノズルの列の間に仕切板を装着することにより、隣り合った圧電体振動子によって発生した霧化粒子がノズルから噴出される時に、仕切板により互いに干渉することなく排出され、さらに、遮蔽板に設けた星型に切り欠いた突出孔から上方に送風された気体が噴出されるので、より霧化粒子が互いに干渉することが無く吸引口に送風されるという利点がある。
【発明を実施するための最良の形態】
【０００８】
本発明では、ケースの一端に該ケースとほぼ同じ幅の送風口を形成し、他端に前記ケースとほぼ同じ幅の吸引口を形成し、送風口と吸引口の間に形成したケースの支持板に、送風口から吸引口の方向に僅かに傾斜したノズルをそれぞれ装着した多数の圧電体振動子を多数列装着し、１つの列のノズルを装着した多数の圧電体振動子が隣り合った列の多数の圧電体振動子の間に位置するように構成し、ノズルの先端がそれぞれ突出するように、ノズルの周囲を星型に切り欠いた突出孔を形成した遮蔽板を霧化液体の上方を覆うように装着し、仕切板は前記ノズル及び圧電体振動子の隣り合った列の間にそれぞれ装着されて前記送風口から吸引口に向けて傾斜するように構成し、前記送風口から送風する気体は前記遮蔽板の下方から前記星型に切り欠いた突出孔を通り、仕切板の間を通って上方に送風するように構成することにより、圧電体振動子によって発生した霧化粒子がノズルから噴出されるとともに、仕切板によって、隣り合ったノズルから発生する霧化粒子が互いに干渉することなく吸引口に送風されるようにしたものである。
【実施例】
【０００９】
図１は本発明の実施例の超音波霧化分溜装置の側面図、図２は図１の超音波霧化分溜装置の平面図で、ケース６の一端にケース６の幅とほぼ同じ幅の送風口７が形成され、この送風口７は送風管８を介して送風装置９に接続され、又、ケース６の他端にケース６の幅の吸引口１０が形成され、この吸引口１０は霧化粒子を吸引して回収する吸引回収装置１１に接続され、さらに、ケース６の送風口７と吸引口１０の間に形成した支持板１２に吸引口１０の方向に傾斜した多数列の傾斜部１２ａが形成され、これらの傾斜部１２ａにそれぞれノズル１３を装着した圧電体振動子１４が装着され、このノズル１３を装着した圧電体振動子１４は多数列装着され、さらに、隣り合った列はノズル１３を装着した圧電体振動子１４が互いに１つ分だけずれており、又、霧化液体供給装置１５からケース６内に設けた供給口１５ａを介して霧化液体１６が供給され、この霧化液体１６は常にノズル１３の上端から僅かに下方になるように供給されており、さらに、支持板１２の下方に装着した発振器１７から圧電体振動子１４に発振出力が印加され、又、霧化液化１６を覆うように遮蔽板１８が霧化液化１６の上方に装着され、又、遮蔽板１８はノズル１３を突出させるために、星型に切り欠いた突出孔１８ａが形成され、さらに、多数の仕切板１９の下端が遮蔽板１８に形成された星型の突出孔１８ａの列の間に接触又は固着されてノズル１３の傾斜とほぼ同様の傾斜で上方に斜めに伸びて、隣り合った列のノズル１３の間が遮断されるように構成され、又、仕切板１９の上端は送風口７側の仕切板１９ａが高く構成され、吸引口１０に近い仕切板１９ｂは最低になるように徐々に低く構成され、又、仕切板１８ａの上端は折り曲げられて覆い板１９ｃが構成され、この覆い板１９ｃは仕切板１９全体を覆うように構成され、仕切板１９ａの覆い板１９ｃの端部は吸引口１０の上部の壁に固着され、仕切板１９ｂの先端は折り曲げられて、吸引口１０の端部に固着されている。
【００１０】
このように構成された本実施例の超音波霧化分溜装置では、発振器１７から発振出力が圧電体振動子１４に印加されると、圧電体振動子１４で発生した超音波振動はノズル１３によって絞られてケース６の上方に噴出され、又、送風口７から送風された気体は遮蔽板１８の下方を通り、星型の突出孔１８ａを通ってノズル１３に沿って上方に送られるが、隣り合ったノズル１３の間に仕切板１９が設けられているため、ノズル１３より噴出された霧化粒子は隣り合ったノズル１３から噴出される霧化粒子と互いにぶつかり合うことが無く、仕切板１９の上方に送られ、覆い板１９ｃの下を通り、互いに干渉することなく、ケース６の幅に広がった吸引口１０から吸引されるので、霧化粒子が大きくなることがなく、従って、霧化液体１６の面に落下せずに吸引回収装置で１１で全て回収され、霧化効率が非常に向上するとともに、霧化液体を覆うように遮蔽板１８が霧化液体１６の上方に装着されているので、圧電体振動子１４が駆動されるときに発生する熱によって霧化液体１６が加熱され、霧化液体１６が蒸発することによって霧化粒子が上方に吹き上がることを防ぎ、送風された気体によって霧化された粒子が吸引口１０に送られて吸引される。
【産業上の利用可能性】
【００１１】
なお、上記実施例において、遮蔽板１８に星型の突出孔１８ａを形成したが、星型以外に、丸や三角や四角等の形状の突出孔を形成しても良く、又、霧化液体供給装置１５から供給される液体がケース６の支持板１２の上方のノズル１３の噴出口の下方で、ほぼ常に一定になるようにする液面調節手段として、液面センサによるものや浮きによるもの等が考慮される。
【図面の簡単な説明】
【００１２】
【図１】本発明の実施例の超音波霧化分溜装置の側面図である。
【図２】図１の超音波霧化分溜装置の平面図である。
【図３】本出願人が提案した超音波霧化装置の側面断面図である。
【符号の説明】
【００１３】
６                ケース
７                送風口
８                送風管
９                送風装置
１０              吸引口
１１              吸引回収装置
１３              ノズル
１４              圧電体振動子
１５              霧化液体供給装置
１６              霧化液体
１７              発振器
１８              遮蔽板
１９              仕切板
【図１】
2006231297.tif 000003
【図２】
2006231297.tif 000004
【図３】
2006231297.tif 000005